(57)【要約】【課題】情報処理端末は、マザーボードを下方に配置し、電源装置をマザーボードの上方に配置する。マザーボードを交換するためには電源装置を外さなければならず、作業効率が悪い。マザーボードの交換の際の作業効率を高める情報処理端末を提供する。【解決手段】筺体の内部を第１の空間と第２の空間とに区画する仕切隔壁と、前記仕切隔壁によって区画された前記第２の空間に設けられる電源装置と、演算装置を前記第１の空間側に設置するマザーボードと、前記マザーボードと接続する他のボードと、を備える情報処理端末を提供する。【選択図】図１
2011204807.tif 000002
【特許請求の範囲】
【請求項１】
筺体の内部を第１の空間と第２の空間とに区画する仕切隔壁と、
前記仕切隔壁によって区画された前記第２の空間に設けられる電源装置と、
演算装置を前記第１の空間側に設置するマザーボードと、
前記マザーボードと接続する他のボードと、
を備える情報処理端末。
【請求項２】
前記仕切隔壁は前記マザーボートであること特徴とする請求項１記載の情報処理端末。
【請求項３】
前記マザーボードは、第１の方向及び前記第１の方向に対し鉛直方向である第２の方向に動くことで前記他のボードと脱着することを特徴とする請求項１乃至請求項２記載の情報処理端末。
【発明の詳細な説明】
【技術分野】
【０００１】
本発明は、マザーボードの交換作業の作業効率を高めた情報処理端末に関する。
【背景技術】
【０００２】
パソコンやＰＯＳ端末のような情報処理端末は、筺体の内部にマザーボードと電源装置を有する。従来の情報処理端末は、マザーボードを下方に配置し、電源装置をマザーボードの上方に配置する。従って、マザーボードを交換するためには電源装置を外さなければならず、作業効率が悪いという問題点がある。
【０００３】
また情報処理端末に設けられている第２のプリント基板に対し第１のプリント基板を脱着させる場合情報処理端末にスライドレールを設けそのレールに第１のプリント基板を挿入し、前記第１のプリント基板をスライドさせる事で第２のプリント基板に対し第１のプリント基板を脱着させる技術が提案されている（例えば、特許文献１）。
【０００４】
しかし、この技術によっては、第１のプリント基板を交換する場合はスライドレールから第１のプリント基板を外す必要があり、少なくとも第１のプリント基板のスライド方向の長さ以上第１のプリント基板をスライドさせる必要がある。またこの技術にて用いられる第１のプリント基板に用いられるコネクタと第２のプリント基板に用いられるコネクタは汎用品でなく特殊なものを使用する必要がある。
【発明の概要】
【発明が解決しようとする課題】
【０００５】
本発明は、マザーボードの交換の際の作業効率を高める情報処理端末を提供することを目的とする。
【課題を解決するための手段】
【０００６】
本発明は、筺体の内部を第１の空間と第２の空間とに区画する仕切隔壁と、前記仕切隔壁によって区画された前記第２の空間に設けられる電源装置と、演算装置を前記第１の空間側に設置するマザーボードと、前記マザーボードと接続する他のボードと、を備える情報処理端末を提供する。
【発明の効果】
【０００７】
本発明によれば、本発明は、マザーボードの交換作業の作業効率を高められるという効果がある。た情報処理端末に関する。
【図面の簡単な説明】
【０００８】
【図１】図１は、本発明の第１の実施形態の情報処理端末の正面から見た断面図である。
【図２】図２は、本発明の第２の実施形態の情報処理端末の正面から見た断面図である。
【図３】図３は、本発明の第１の実施形態の情報処理端末のマザーボードと他のボードとの連結時のフックの形状を示した図である。
【図４】図４は、本発明の第１の実施形態の情報処理端末のマザーボードと他のボードとの開放時のフックの形状を示した図である。
【発明を実施するための形態】
【０００９】
以下に、本発明の一実施形態に係る情報処理端末を、図面を参照して詳細に説明する。
【００１０】
（第１の実施形態）
図１は、本実施形態の情報処理端末１０を正面から見た断面図である。図１に示すように、情報処理端末１０は、筺体１２の内部に、演算装置であるＣＰＵ及びメモリを搭載するマザーボード１３と、マザーボード１３に電源を供給する電源装置１４と、大容量記憶装置であるハードディスクドライブ１５と、マザーボード１３と電源装置１４とを冷却する冷却ファン１１とを備える。ここで、情報処理端末１０にはコンピュータ、パソコン、又はＰＯＳ端末が含まれる。
【００１１】
情報処理端末１２は、底板１２Ａに電源装置１４と、ハードディスクドライブ１５と、を備える。底板１２Ａにはマザーボード１３を支える支持隔壁１２Ｃが設けられる。筺体１２は、マザーボード１３を設置するための支持突起１２Ｂを備える。
【００１２】
仕切隔壁１６は筺体内部の空間を第１の空間と第２の空間とに上下に仕切る。
ここでマザーボード13と、前記マザーボードと接続する他のボード２０との連結／開放の方法を図３、図４を用いて説明する。
【００１３】
仕切隔壁１６に設けられたフック２１は支持隔壁１２Ｃに設けられた孔２２に対し図中Ａ方向に向け挿入され、その後図中Ｄ方向にスライドさせる。その後図示しないネジにて支持隔壁１２Ｃと仕切隔壁１６を固定する。支持隔壁１２Ｃと仕切隔壁１６との固定を開放する場合は、図示しないネジを除去後支持隔壁１２Ｃを図中Ｃ方向にスライドしその後図中Ｂ方向に移動させる。これにより支持隔壁１２Ｃと仕切隔壁１６との固定が容易に開放できる。開放の際はフック２１のXの距離スライドさせるのみでよく、マザーボードのスライド方向の長さ以上スライドさせる必要はない。
【００１４】
（第２の実施形態）
図２は、本実施形態の情報処理端末１０の正面から見た断面図である。図２に示すように、情報処理端末１０は、筺体１２の内部に、演算装置であるＣＰＵ及びメモリを搭載するマザーボード１３と、マザーボード１３に電源を供給する電源装置１４と、大容量記憶装置であるハードディスクドライブ１５と、マザーボード１３と電源装置１４とを冷却する冷却ファン１１とを備える。ここで、情報処理端末１０にはコンピュータ、パソコン、又はＰＯＳ端末が含まれる。
【００１５】
情報処理端末１２は、底板１２Ａに電源装置１４と、ハードディスクドライブ１５と、を備える。底板１２Ａにはマザーボード１３を支える支持隔壁１２Ｃが設けられる。筺体１２は、支持突起１２Ｂを備える。
【００１６】
ここでマザーボード１３は仕切隔壁１６を兼用している。また第２の実施の形態ではマザーボード１３のフック２１が係止する孔２２を有した部材（図示せず）が筐体１２に別途設けられている。
【００１７】
マザーボード１３に設けられたフック２１はマザーボード１３のフック２１が係止する孔２２を有した部材（図示せず）に設けられた孔２２に対し図中Ａ方向に向け挿入され、その後図中Ｄ方向にスライドさせる。その後図示しないネジにてマザーボード１３を筐体１２へと固定する。マザーボード１３と筐体１２との固定を開放する場合は、図示しないネジを除去後マザーボード１３を図中Ｃ方向にスライドしその後図中Ｂ方向に移動させる。これによりマザーボード１３と筐体１２との固定が容易に開放できる。開放の際はフック２１のXの距離スライドさせるのみでよく、少なくともマザーボードのスライド方向の長さ以上スライドさせる必要はない。
【００１８】
また筺体内部の空間を第１の空間と第２の空間とに上下に仕切り下方空間にマザーボード１３に電源を供給する電源装置１４を設置し上方空間にマザーボード１３を設置したためマザーボードを交換するためには電源装置を外さなければならないといった作業が不要となる。
【００１９】
また第１のスライドレールに乗っているマザーボードをマザーボードのスライド方向の長さ以上にスライドさせる必要はなく、このためマザーボード１３と他のボード２０との脱着のためのコネクタは汎用のものが使用可能であり、専用品の使用に比べ安価が実現できる。
【符号の説明】
【００２０】
１０：情報処理端末、
１１：冷却ファン、
１２：筺体、
１３：マザーボード、
１４：電源装置、
１５：ハードディスクドライブ、
１６：仕切隔壁
２０：他のボード
２１：フック
２２：孔
【先行技術文献】
【特許文献】
【００２１】
【特許文献１】実開平５−１５４８３号公報
【図１】
2011204807.tif 000003
【図２】
2011204807.tif 000004
【図３】
2011204807.tif 000005
【図４】
2011204807.tif 000006